(57)【要約】【課題】フレキシブルプリント基板を位置ずれ無く確実に固定出来、かつ作業性も良く固定する事を可能にしたレンズ鏡筒を提供すること。【解決手段】光軸方向に移動する駆動部材と、前記駆動部材に固定される固定部材を設け、前記固定部材にフレキシブルプリント基板が固定されており、前記フレキシブルプリント基板の幅方向の両側部に２つの離間した５ａ、５ｂの凸部で固定形状を挟み込む事によりフレキシブルプリント基板を固定し、前記固定形状６ｃによりフレキシブルプリント基板の浮きを防止し、その固定部材の切り欠き形状によりフレキシブルプリント基板が固定部材に固定されたか確認できる事を特徴とする。【選択図】  図１
2014021406.tif 000002
【特許請求の範囲】
【請求項１】
光軸方向に移動する駆動部材と、前記駆動部材に固定される固定部材を設け、前記固定部材にフレキシブルプリント基板が固定されており、前記駆動部材の移動に応じて曲げ頂点部分が光軸方向に移動するＵターン部を設けたレンズ鏡筒において、前記フレキシブルプリント基板の幅方向の両側部に２つの離間した凸形状を持ち、前記固定部材に前記フレキシブルプリント基板の幅方向両側部にフレキを固定する固定形状を持ち、前記フレキシブルプリント基板の２つの凸部により前記固定形状を挟み込む事により前記フレキシブルプリント基板を固定し、かつ前記固定形状は前記フレキシブルプリント基板の凸部と嵌るように前記フレキシブルプリント基板の長手方向と垂直方向に凸部があり、その凸部先端が前記フレキシブルプリント基板の長手方向に折れ曲がっており、かつ前記凸部先端の折れ曲がった形状に対し、前記フレキシブルプリント基板の長手方向と垂直方向のフレキシブルプリント基板側の前記固定部材に切り欠き形状があることを特徴とするフレキシブルプリント基板固定方法。
【請求項２】
前記固定部材の前記フレキシブルプリント基板の長手方向と垂直方向の凸部は前記フレキシブルプリント基板の長手方向において同じ位置に無いことを特徴とする請求項１に記載のフレキシブルプリント基板固定方法。
【請求項３】
前記固定部材の前記フレキシブルプリント基板の長手方向と垂直方向の凸部先端の折れ曲がった形状の前記フレキシブルプリント基板の長手方向の長さが前記フレキシブルプリント基板の固定形状より長いことを特徴とする請求項１又は請求項２に記載のフレキシブルプリント基板固定方法。
【発明の詳細な説明】
【技術分野】
【０００１】
本発明は、レンズ鏡筒に関し、特に移動するレンズ群にフレキシブルプリント基板を取り付ける際のフレキシブルプリント基板の固定構造に関するものである。
【背景技術】
【０００２】
従来フレキシブルプリント基板の固定構造としては、フレキシブルプリント基板の幅方向の両側部に被係止部を設け、固定部材側の幅方向に２つ爪形状を設け、前記爪形状で前記フレキシブルプリント基板の被係止部を挟み固定している（特許文献１参照）。
【先行技術文献】
【特許文献】
【０００３】
【特許文献１】特開２００８−６５１７９号公報
【発明の概要】
【発明が解決しようとする課題】
【０００４】
しかしながら、上述の特許文献に開示された従来技術では、爪形状にフレキシブルプリント基板を固定できているかどうか確認する事が出来ず、フレキシブルプリント基板が外れた状態で組まれてしまい、フレキシブルプリント基板が外れてしまう可能性がある。
【０００５】
また、爪形状にフレキブルプリント基板を組む際、爪に押し込むようにフレキシブルプリント基板を組み込むので、組立作業性に課題があった。
【０００６】
そこで、本発明の目的は、フレキシブルプリント基板を位置ずれ無く確実に固定出来、かつ作業性も良く固定する事を可能にしたレンズ鏡筒を提供することである。
【課題を解決するための手段】
【０００７】
上記目的を達成するために、本発明は、光軸方向に移動する駆動部材と、前記駆動部材に固定される固定部材を設け、前記固定部材にフレキシブルプリント基板が固定されており、前記駆動部材の移動に応じて曲げ頂点部分が光軸方向に移動するＵターン部を設けたレンズ鏡筒において、前記フレキシブルプリント基板の幅方向の両側部に２つの離間した凸形状を持ち、前記固定部材に前記フレキシブルプリント基板の幅方向両側部にフレキを固定する固定形状を持ち、前記フレキシブルプリント基板の２つの凸部により前記固定形状を挟み込む事により前記フレキシブルプリント基板を固定し、かつ前記固定形状は前記フレキシブルプリント基板の凸部と嵌るように前記フレキシブルプリント基板の長手方向と略垂直方向に凸部があり、その凸部先端が前記フレキシブルプリント基板の長手方向に折れ曲がっており、かつ前記凸部先端の折れ曲がった形状に対し、前記フレキシブルプリント基板の長手方向と略垂直方向のフレキシブルプリント基板側の前記固定部材に切り欠き形状がある事を特徴とする。
【発明の効果】
【０００８】
本発明によればフレキシブルプリント基板を位置ずれ無く確実に固定出来、かつ作業性も良く固定する事を可能にしたレンズ鏡筒を提供することができる。
【図面の簡単な説明】
【０００９】
【図１】本発明の一実施例に係わるフレキシブルプリント基板の固定方法を示す。
【図２】本発明の一実施例に係わるフレキシブルプリント基板の固定方法を用いたレンズ鏡筒の構成の概略を示す。
【図３】本発明の一実施例に係わるフレキシブルプリント基板の固定方法を用いたレンズ鏡筒の構成の概略を示す。
【図４】本発明の一実施例に係わるフレキシブルプリント基板の固定方法を用いたレンズ鏡筒のＩＳユニット部の概略を示す。
【図５】本発明の一実施例に係わるフレキシブルプリント基板の固定方法の一部を示す。
【図６】本発明の一実施例に係わるフレキシブルプリント基板の固定方法を示す。
【図７】本発明の一実施例に係わるフレキシブルプリント基板の固定方法の一部を示す。
【発明を実施するための形態】
【００１０】
以下に、本発明の好ましい実施の形態を、添付の図面に基づいて詳細に説明する。
【実施例１】
【００１１】
以下、図２を参照して、本発明の第１の実施例による、フレキシブルプリント基板の固定構造についてレンズ鏡筒の構成を説明する。
【００１２】
図２、３に、本実施例における交換レンズ鏡筒の全体と光軸を含む平面で切断した断面図を示す。
【００１３】
なお、本実施例を示す上記図では説明に必要な構成のみを表しており、他の構成は不図示として省略している。
【００１４】
図２、３において、案内筒１はレンズマウントに対して一体的に固定されている固定部材であり、案内筒１には直進溝が設けられている。カム筒２は案内筒１の外側に配置され、カム溝を設けられている。３は移動群であり、前記案内筒１に設けられた直進溝とカム筒に設けられたカム溝に係合するコロ４により、カム筒２を回転させる事で移動群３が光軸方向に駆動する機構になっている。
【００１５】
また、移動群３内にＩＳユニット３１がありＩＳユニット３１内にＩＳフレキシブルプリント基板５が固定されていおり、前記ＩＳフレキシブルプリント基板５は不図示のレンズマウントに対して一体的に固定されている制御基板に接続されている。また、移動群３はレンズ３ａ、３ｂを保持している。また、ＩＳフレキシブルプリント基板５は移動群３が光軸方向に駆動する際Ｕターン部の頂点を光軸方向に移動させている。
【００１６】
次に図４を参照してＩＳユニット３１の詳細について説明する。
【００１７】
ＩＳユニット３１は、ＩＳフレキシブルプリント基板５に実装されている振れを検知する振れセンサ３１ａ，補正レンズ変位検出用の位置センサ３１ｂ、及び、前記振れセンサ３１ａと位置センサ３１ｂの出力から不図示の制御基板にて制御信号を算出する。制御信号の算出結果によって補正レンズ３１ｃを保持した補正レンズ群３１ｄを駆動し振れ補正動作を行う。
【００１８】
次に図１を用いて本実施例の詳細について説明する。
【００１９】
図１に示すように前記ＩＳフレキシブルプリント基板５の幅方向の両側部に、前記ＩＳフレキシブルプリント基板５の長手方向に離間する２つの凸部５ａ、５ｂを設けて、各凸部５ａ、５ｂの間に被係止凹部５ｃを形成する。図１と図５に示すように前記被係止凹部５ｃの間に移動群３と一体的に動くＩＳフレキシブルプリント基板固定部材６に設けられた係止凸部６ａが設けられている。係止凸部６ａの先端は前記ＩＳフレキシブルプリント基板５の長手方向に略平行に曲がった形状の係止凸部先端６ｂが設けられている。また、図６に示すように前記係止凸部先端６ｂに対して前記フレキシブルプリント基板の長手方向と略垂直方向のフレキシブルプリント基板側の前記フレキシブルプリント基板固定部材６に切り欠き形状６ｃが設けられている。また、図７のようにＩＳフレキシブルプリント基板固定部材６は移動群３に光軸方向にビス７により固定されている。
【００２０】
前記フレキシブルプリント基板固定部材６に前記ＩＳフレキシブルプリント基板５を取り付ける際に前記ＩＳフレキシブルプリント基板５の凸部５ａを前記係止凸部先端６ｂの上にのせる。そして、前記フレキシブルプリント基板固定部材６の前記係止凸部先端６ｂの方向からスライドさせ、係止凸部６ａに突きあてる。組立性については従来技術に比べ爪に押しつけて固定するのではなくスライドして固定するので作業性も良く、確実である。また、係止凸部６ａに突き当たった状態では前記凸部５ａ、５ｂに前記係止凸部６ａが挟まれ固定されている状態になり、前記ＩＳフレキシブルプリント基板５の長手方向について動かなくなる。また、前記ＩＳフレキシブルプリント基板５の長手方向と垂直な方向の前記ＩＳフレキシブルプリント基板５の浮きについては前記係止凸部先端６ｂにより規制され浮く事はない。さらに、前記切り欠き形状６ｃから前記ＩＳフレキシブルプリント基板５が前記フレキシブルプリント基板固定部材６に組み込まれているか確認できるので誤組みの可能性もなくすことができる。
【００２１】
以上、本発明の好ましい実施形態について説明したが、本発明はこれらの実施形態に限定されず、その要旨の範囲内で種々の変形及び変更が可能である。
【符号の説明】
【００２２】
１            案内筒
２            カム筒
３            移動群
３ａ、３ｂ    レンズ
３１          ＩＳユニット
４            コロ
５            ＩＳフレキシブルプリント基板
３１ａ        振れセンサ
３１ｂ        位置センサ
３１ｃ        補正レンズ
３１ｄ        補正レンズ群
５ａ、５ｂ    凸部
５ｃ          被係止凹部
６            ＩＳフレキシブルプリント基板固定部材
６ａ          係止凸部
６ｂ          係止凸部先端
６ｃ          切り欠き形状
【図１】
2014021406.tif 000003
【図２】
2014021406.tif 000004
【図３】
2014021406.tif 000005
【図４】
2014021406.tif 000006
【図５】
2014021406.tif 000007
【図６】
2014021406.tif 000008
【図７】
2014021406.tif 000009